(57)【要約】【課題】空気を吸い込んだ際に音が鳴る笛構造について従来にみられない工夫を施しデザイン性や奇抜性や話題性のある音の鳴る飲用容器を提供する。  【解決手段】飲用容器３０の側部３１の上側縁の外周面から底部下端に設置される高台３２に亘る領域にかけて、側部３１の２個所を外側方向に突出形成して連通経路４０ａ、４０ｂを２個所に形成し、空気出孔４１ａ、４１ｂを中間孔４３と空気入孔４２に連通させ、空気出孔４１ａ又は４１ｂから空気を吸い込んだ際に音が鳴る笛構造を一体的に形成する。【選択図】  図５
0003128566.tif 000002
【実用新案登録請求の範囲】
【請求項１】
飲用容器本体の側部上側縁近傍の外周面から底部下端に設置される高台に亘る領域にかけて空気を吸い込んだ際に音が鳴る笛構造を一体的に形成したことを特徴とする音の鳴る飲用容器。
【請求項２】
前記笛構造は空気出孔と空気入孔と中間孔とを有する連通経路より構成され、前記中間孔を前記空気出孔と前記空気入孔の間で前記空気入孔に近接する位置で当該空気入孔に対向するように設け、前記空気出孔を複数個所に形成して前記中間孔と前記空気入孔に連通させたことを特徴とする請求項１に記載の音の鳴る飲用容器。
【請求項３】
前記笛構造の連通経路は前記飲用容器本体の外周面を凹状に形成して内側方向に突出していることを特徴とする請求項１又は請求項２に記載の音の鳴る飲用容器。
【考案の詳細な説明】
【技術分野】
【０００１】
本考案は、空気を吸い込んだ際に音が鳴る笛構造を備えた音の鳴る飲用容器に関するものである。
【背景技術】
【０００２】
従来から、飲用容器において音を発生させることを目的として、以下のような提案がなされている。
【０００３】
特開２００６−１４３２９８号公報には、底部に形成された空室に発音体を封入し、容器が磁器であり発音体が自然石からなる「発音飲用容器」が開示されている（特許文献１）。
【０００４】
特開２００２−１２５８２９号公報には、容器を振ったり又は飲む際に容器が傾くと共に音が鳴る「音がでる飲用容器」が開示されている（特許文献２）。
【０００５】
実開昭６４−４１３７８号公報には、容器の底部に室を形成し発音転動体を入れた「グラス、コップ等の容器」が開示されている（特許文献３）。
【０００６】
実開昭６３−１６１５７６公報には、二重底の部分に空間を作り球状の鈴玉を移動できるように入れた「二重底に鈴玉を入れたコップ」が開示されている（特許文献４）。
【０００７】
一方、空気を吹き込む又は空気を吸い込んだ際に音が鳴るようにした構造は従来から知られており、それを飲用容器に応用することも一般的に考えられるが、お土産物や娯楽イベント等においては、遊び感覚を加味してデザイン性や奇抜性や話題性のある新しいタイプの飲用容器が求められている。
【０００８】
【特許文献１】特開２００６−１４３２９８号公報
【特許文献２】特開２００２−１２５８２９号公報
【特許文献３】実開昭６４−４１３７８号公報
【特許文献４】実開昭６３−１６１５７６公報
【考案の開示】
【考案が解決しようとする課題】
【０００９】
そこで、本考案は上記のような背景に鑑みてなされたものであり、空気を吸い込んだ際に音が鳴る笛構造について従来にみられない工夫を施しデザイン性や奇抜性や話題性のある音の鳴る飲用容器を提供することを目的とする。
【課題を解決するための手段】
【００１０】
上記課題を解決するために、請求項１に記載の考案は、飲用容器本体の側部上側縁近傍の外周面から底部下端に設置される高台に亘る領域にかけて空気を吸い込んだ際に音が鳴る笛構造を一体的に形成したことを特徴とする。
【００１１】
また、請求項２に記載の考案について、請求項１に記載の前記笛構造は空気出孔と空気入孔と中間孔とを有する連通経路より構成され、前記中間孔を前記空気出孔と前記空気入孔の間で前記空気入孔に近接する位置で当該空気入孔に対向するように設け、前記空気出孔を複数個所に形成して前記中間孔と前記空気入孔に連通させたことを特徴とする。
【００１２】
また、請求項３に記載の考案について、請求項１又は請求項２に記載の前記笛構造の連通経路は前記飲用容器本体の外周面を凹状に形成して内側方向に突出していることを特徴とする。
【考案の効果】
【００１３】
以上のように、本考案によれば、空気出孔を複数個所に形成して中間孔と空気入孔に連通させる構成を採用することにより、飲用容器に空気吸い込み口及び空気経路を複数設けることが可能となるため、従来よりもデザインのバリエーションが豊富になり奇抜性や話題性を高めた音の鳴る飲用容器を提供することができる。
また、飲用容器本体の外周面を凹状に形成して内側方向に連通経路を突出させる構成を採用することにより、従来と異なる外観イメージを呈する音の鳴る飲用容器を提供することができる。
【考案を実施するための最良の形態】
【００１４】
以下、本考案の実施の一形態について、図面を参酌しながら説明する。なお、本考案の構成は、その主旨から逸脱しない限り適宜変更可能である。飲用容器については、本実施例では「ぐい呑み」を例にして説明するが、これに限定されるものではなく、湯呑みやグラスなど飲用に供する容器全般を対象とすることができる。また、飲用容器の素材については、陶器、磁器の他にプラスチック、金属など適宜採用することができる。
【００１５】
（第１実施例）
図１は音の鳴る飲用容器の第１実施例を示す斜視図、図２は図１に示す音の鳴る飲用容器の側面図、図３は図１に示す音の鳴る飲用容器を底面側からみた斜視図、図４は図１に示す音の鳴る飲用容器の断面図である。
【００１６】
飲用容器１０は、飲用容器本体の側部１１の上側縁の外周面から底部下端に設置される高台１２に亘る領域において、側部１１の一部を外側方向に突出形成して連通経路２０を形成し、空気出孔２１から空気を吸い込んだ際に音が鳴る笛構造が一体的に形成される。飲用容器１０は、陶器又は磁器の素材で形成するのが好ましい。
【００１７】
上記笛構造としては、図４に示すように、空気出孔２１と空気入孔２２と中間孔２３とを有する連通経路２０より構成され、中間孔２３は空気出孔２１と空気入孔２２の間で空気入孔２２に近接する位置で空気入孔２２に対向するように設けられる。空気入孔２２と中間孔２３の孔径は約３ｍｍ程度の大きさに設定するのが好ましい。空気入孔２２及び／又は中間孔２３の孔径を小さくすると空気出孔２１から空気を吸い込んだ際に高い音質の音が鳴り、一方前記孔径を大きくすると低い音質の音が鳴るため、異なる孔径に設定することによって音質を容易に変えることができる。また、音階を調整した飲用容器１０をセットにして使用するとお土産物や娯楽イベント等において一層の遊び感覚が加味される。
【００１８】
（第２実施例）
図５は音の鳴る飲用容器の第２実施例を示す断面図である。飲用容器３０は、上述した第１実施と同様に飲用容器本体の側部３１の上側縁の外周面から底部下端に設置される高台３２に亘る領域において、側部３１の２個所を外側方向に突出形成して連通経路４０ａ、４０ｂを形成し、空気出孔４１ａ又は４１ｂから空気を吸い込んだ際に音が鳴る笛構造が一体的に形成される。空気入孔４２と中間孔４３の構造は、上述した第１実施と同様である。
【００１９】
第２実施例では、図５に示すように、空気出孔４１ａ、４１ｂを２個所に形成して中間孔４３と空気入孔４２に連通させる構成を採用している点が特徴となる。即ち、飲用容器３０に空気吸い込み口及び空気経路を２個所設けることにより、従来よりもデザインのバリエーションが豊富になり奇抜性や話題性を高めた音の鳴る飲用容器を提供することができる。また、空気吸い込み口及び空気経路の数は２個所以上設けてもよい。飲用容器３０は、第１実施と同様に陶器又は磁器の素材で形成するのが好ましい。
【００２０】
（第３実施例）
図６は音の鳴る飲用容器の第３実施例を示す断面図である。飲用容器５０は、飲用容器本体の側部５１の上側縁の外周面から底部下端に設置される高台５２に亘る領域において、上述した第１実施及び第２実施例とは異なり側部５１の一部を内側方向に突出形成して連通経路６０を形成し、空気出孔６１から空気を吸い込んだ際に音が鳴る笛構造が一体的に形成される。空気入孔６２と中間孔６３の構造は、上述した第１実施と同様である。
【００２１】
第３実施例では、図６に示すように、飲用容器本体の外周面を凹状に形成して内側方向に連通経路６０を突出させる構成を採用している点が特徴となる。即ち、連通経路６０を飲用容器本体の外周面の外側方向ではなく内側方向に突出形成することにより、従来と異なる外観イメージを呈する音の鳴る飲用容器を提供することができる。また、飲用容器３０は、第１実施及び第２実施例と同様に陶器又は磁器の素材で形成するのが好ましい。
【図面の簡単な説明】
【００２２】
【図１】音の鳴る飲用容器の第１実施例を示す斜視図である。
【図２】図１に示す音の鳴る飲用容器の側面図である。
【図３】図１に示す音の鳴る飲用容器を底面側からみた斜視図である。
【図４】図１に示す音の鳴る飲用容器の断面図である。
【図５】音の鳴る飲用容器の第２実施例を示す断面図である。
【図６】音の鳴る飲用容器の第３実施例を示す断面図である。
【符号の説明】
【００２３】
１０  飲用容器
１１  側部
１２  高台
２０  連通経路
２１  空気出孔
２２  空気入孔
２３  中間孔
３０  飲用容器
３１  側部
３２  高台
４０ａ、４０ｂ  連通経路
４１ａ、４１ｂ  空気出孔
４２  空気入孔
４３  中間孔
５０  飲用容器
５１  側部
５２  高台
６０  連通経路
６１  空気出孔
６２  空気入孔
６３  中間孔
【図１】
0003128566.tif 000003
【図２】
0003128566.tif 000004
【図３】
0003128566.tif 000005
【図４】
0003128566.tif 000006
【図５】
0003128566.tif 000007
【図６】
0003128566.tif 000008
【手続補正書】
【提出日】平成18年11月14日(2006.11.14)
【手続補正１】
【補正対象書類名】実用新案登録請求の範囲
【補正対象項目名】請求項１
【補正方法】変更
【補正の内容】
【請求項１】
飲用容器本体の側部上側縁近傍の外周面から底部下端に設置される高台に亘る領域にかけて空気の出入を行う孔を有する連通経路を構成して空気を吸い込んだ際に音が鳴る笛構造を一体的に形成したことを特徴とする音の鳴る飲用容器。
【手続補正２】
【補正対象書類名】明細書
【補正対象項目名】００１０
【補正方法】変更
【補正の内容】
【００１０】
上記課題を解決するために、請求項１に記載の考案は、飲用容器本体の側部上側縁近傍の外周面から底部下端に設置される高台に亘る領域にかけて空気の出入を行う孔を有する連通経路を構成して空気を吸い込んだ際に音が鳴る笛構造を一体的に形成したことを特徴とする。